(57)【特許請求の範囲】
【請求項１】
導入されたパチンコ玉を第１の通路へ案内する状態と、第２の通路に案内する状態と、に切り替え可能な玉通路切替装置に玉案内面を有する玉案内部材を備え、
該玉案内部材を、
第２の通路を閉塞して且つ玉案内面を前記第１の通路へ下り傾斜した姿勢とすることにより導入されたパチンコ玉を前記第１の通路へ案内する第１状態と、
第１の通路を閉塞して且つ玉案内面を前記第２の通路へ下り傾斜した姿勢とすることにより導入されたパチンコ玉を前記第２の通路へ案内する第２状態と、に状態切り替えが可能であり、
前記玉案内部材の切り替え動作を、玉案内部材を横方向にスライド移動させながら姿勢変換させることにより行う玉通路切替装置において、
前記玉案内部材には、
対向する両側端部に２対のスライド突部を備え、
前記玉通路切替装置は、
前記スライド突部のうちの一方の１対をガイドする１対の第１ガイドレールと、
前記スライド突部のうちの他方の１対をガイドする１対の第２ガイドレールと、を備え、
前記第１ガイドレールと前記第２ガイドレールは、
相互の方向へ下り傾斜して設けられていること特徴とする玉通路切替装置。
【発明の詳細な説明】
【技術分野】
【０００１】
本発明は、パチンコ玉の通路を切り替える玉通路切替装置に関するものである。
【背景技術】
【０００２】
従来、遊技店では、複数のパチンコ台を列設して構成した遊技島を複数配置し、遊技島内をパチンコ玉が循環して使用されるように構成されている。このような遊技島では、例えば、パチンコ玉を磨く玉研磨装置や、パチンコ玉を貯留する玉貯留タンク等、種々の装置が設置され、また、金色と銀色等の複数種類のパチンコ玉を使用する遊技店においては、パチンコ玉を金銀の種類別に選別する玉選別装置が設置されている。
これらのような各装置においては、トラブルの発生時やメンテナンス時に遊技島の稼動に支障を来たすことのないよう、パチンコ玉が上記装置を経由せずに遊技島内を循環するために別途設けたバイパス路等へ通路を切り替えることができる玉通路切替装置が必要とされていた。
【０００３】
例えば特許文献１には、図４に示すように、玉計数機８２に投入されて排出部８２ａから落下するパチンコ玉を、遊技島８０内へ案内する状態と、玉計数機８２下方に設置された玉予備タンク８４へ案内する状態とに通路を切り替える玉通路切替装置が開示されている。これは、通路切替部８７が軸８８を中心にａ位置とｂ位置とに回動して切り替える構成となっており、通路切替部８７がａ位置の場合には、排出部８２ａから落下するパチンコ玉は回収穴９０から遊技島８０内へ案内され、通路切替部８７がｂ位置の場合には、排出部８２ａから落下するパチンコ玉は玉計数機８２下方に設置された玉予備タンク８４の貯留部８６へ案内される。
【０００４】
【特許文献１】実開平７−３７２７４号公報
【発明の開示】
【発明が解決しようとする課題】
【０００５】
しかしながら、上記従来の玉通路切替装置は、通路切替部の切り替え動作の際に通路切替部の先端が円弧を描き、通常使用している状態（ａ位置またはｂ位置）からさらに高い位置を移動するので、その分を加味し他の部材と緩衝しないように大きなスペースを確保する必要性が生じ、また逆に高さスペースに制限がある場所に設置する場合は通路切替部の大きさを小さくせざるを得ず、結果的に通路を大きくすることが出来なかった。
【０００６】
本発明は、上記の問題点に鑑み、導入されたパチンコ玉を、案内すべき通路へ確実に案内することが可能で、且つ省スペースで玉通路の切り替え動作を行うことが可能な玉通路切替装置を提供することを目的とする。
【課題を解決するための手段】
【０００７】
このため本発明は、導入されたパチンコ玉を第１の通路へ案内する状態と、第２の通路に案内する状態と、に切り替え可能な玉通路切替装置に玉案内面を有する玉案内部材を備え、該玉案内部材を、第２の通路を閉塞して且つ玉案内面を第１の通路へ下り傾斜した姿勢とすることにより導入されたパチンコ玉を第１の通路へ案内する第１状態と、第１の通路を閉塞して且つ玉案内面を第２の通路へ下り傾斜した姿勢とすることにより導入されたパチンコ玉を第２の通路へ案内する第２状態と、に状態切り替えが可能であり、玉案内部材の切り替え動作を、玉案内部材を横方向にスライド移動させながら姿勢変換させることにより行う玉通路切替装置において、玉案内部材には、対向する両側端部に２対のスライド突部を備え、玉通路切替装置は、スライド突部のうちの一方の１対をガイドする１対の第１ガイドレールと、スライド突部のうちの他方の１対をガイドする１対の第２ガイドレールと、を備え、第１ガイドレールと第２ガイドレールは、相互の方向へ下り傾斜して設けられていることを目的とする
【発明の効果】
【０００８】
本発明によれば、パチンコ玉を第１の通路へ案内する場合は、玉案内部材で第２の通路を閉塞して且つ玉案内面を第１の通路へ下り傾斜した姿勢とし、第２の通路へ案内する場合は、玉案内部材で第１の通路を閉塞して且つ玉案内面を第２の通路へ下り傾斜した姿勢としているので、導入してきたパチンコ玉は玉案内部材上に残ることなく、案内すべき通路へ確実に案内することができる。また、切り替え動作を玉案内部材を横方向にスライド移動させながら姿勢変換させることにより行うので、省スペースで玉通路の切り替え動作を行うことができる。
【発明を実施するための最良の形態】
【０００９】
以下、本発明について図面を参照して説明する。図１は実施の形態にかかる玉通路切替装置３０を遊技島端に設けた状態を示す図である。図２は玉通路切替装置３０の分解斜視図、図３は玉通路切替装置３０の通路切替時の動作説明図である。
【００１０】
図１において、島端に設置された玉計数機１２の設置台１４内部には玉選別装置２０が設けられており、玉計数機１２の玉排出部１２ａ下方には玉通路切替装置３０が設けられている。
玉計数機１２は遊技客が獲得したパチンコ玉等を受け入れ計数し、計数したパチンコ玉は排出部１２ａから排出される。玉選別装置２０は、パチンコ玉を金色銀色の種類別に選別する装置であり、銀色のパチンコ玉は遊技島１０内へ送出し、金色のパチンコ玉は内部に貯留するものである。玉通路切替装置３０は、玉計数機１２の排出部１２ａから排出されたパチンコ玉を玉選別装置２０へ案内する状態と、玉選別装置２０を経由せずに直接遊技島１０内へ案内する状態とに切り替えることが可能な構成となっており、通常時はパチンコ玉を玉選別装置２０側へ案内する状態に保持して使用される。また、玉選別装置２０に故障等のトラブルが発生した場合には、玉通路切替装置３０を、パチンコ玉を玉選別装置２０を経由せずに直接遊技島１０内へ案内する状態にして、玉計数機１２を使用停止とすることなく営業に支障を来たさないようにすることができる。
【００１１】
玉選別装置２０は図１に示すように、一時貯留部２２と、玉選別部２４と、リフト２５とから大略構成される。玉通路切替装置３０を経て、玉選別装置２０へ案内する選別路６２へ排出されたパチンコ玉は、玉案内樋２６によって一時貯留部２２へ送られる。一時貯留部２２はパチンコ玉が一時的に貯留することが可能であり、大量のパチンコ玉が玉計数機１２に投入された場合でも受け入れることができるようにしている。一時貯留部２２からは、下方に設置された玉選別部２４へ送られ、玉選別部２４ではパチンコ玉を金色と銀色の種類別に選別して、金色のパチンコ玉は玉選別部２４の内部に設けた収納部（不図示）へ収納される。一方銀色のパチンコ玉は玉案内樋２８を介してリフト２５へ送られ、リフト２５によって上部に揚送されて回収口１６を介して遊技島１０内へ回収される。
【００１２】
次に、図２を用いて玉通路切替装置３０の構成について説明する。玉通路切替装置３０は、玉案内部材３９と、外枠部材５２とから構成され、玉案内部材３９には当該玉案内部材３９を操作するための操作レバー３２が接続されている。
操作レバー３２は、操作側アーム部３４と、操作側アーム部３４の先端から二股に分岐してコの字状に形成された接続側アーム部３７とで形成され、操作側アーム部３４は取っ手部３５を備え、接続側アーム部３７は玉案内部材３９に設けられたボス４６ａ，４６ｂを挿入させるための挿通孔３７ａ，３７ｂを備えている。
【００１３】
玉案内部材３９は、長方形状の平板で形成された玉受部４０を備え、玉受部４０の前後両端には側壁４２ａ，４２ｂが立設されている。そして、両側壁４２ａ，４２ｂの各上端縁の中央部分を内側に折り曲げて形成した折曲部４４ａ，４４ｂ上にボス４６ａ，４６ｂが立設され、両側壁４２ａ，４２ｂの外面の左右両側には、２対のスライド突部としての回動自在に取付けたスライドローラ４７ａ，４７ｂ，４８ａ，４８ｂが取付けられている。また、玉受部４０の左右両端の略中央下部には、外枠部材５２の係止用雌部材５４，５５にそれぞれ嵌合される係止用雄部材５０，５１が設けてある。なお、スライドローラ４７ａ，４７ｂ，４８ａ，４８ｂは、作動的に支障なければ必ずしもローラである必要はなく、単に突部を形成させたものでも良い。
【００１４】
角筒状に形成された外枠部材５２には、左右両側の内面中央部に玉案内部材３９の係止用雄部材５０，５１をそれぞれ嵌合する係止用雌部材５４，５５が設けられ、前後両側の内面には左端側から中央に向かって下り傾斜した１対のガイドレール５６ａ，５６ｂ、右端側から中央に向かって下り傾斜した１対のガイドレール５７ａ，５７ｂが設けられている。
【００１５】
上記のような構成において、玉案内部材３９のスライドローラ４７ａ，４７ｂはガイドレール５６ａ，５６ｂに、スライドローラ４８ａ，４８ｂは、ガイドレール５７ａ，５７ｂに、それぞれ転動自在に嵌合され、嵌合されたガイドレールに沿って移動可能になっている。また、操作レバー３２は、挿通孔３７ａ，３７ｂに玉案内部材３９のボス４６ａ，４６ｂを挿通させて玉案内部材３９と連結された状態で玉計数機１２の設置台１４上に置かれ（図１参照）、取っ手部３５を図１における左右方向に動かして玉案内部材３９を操作することができる構成となっている。また、玉案内部材３９に設けられた係止用雄部材５０，５１と、外枠部材５２に設けられた係止用雌部材５４，５５とで構成される係止構造は、本実施の形態においては公知のいわゆるボールキャッチ機構を用いており、ある程度の力を掛けることによって係脱できる構成となっている。
【００１６】
上記のように構成された玉通路切替装置３０は、通常時は、玉案内部材３９が外枠部材５２の左側の位置で係止用雄部材５０と係止用雌部材５４が互いに係合することによって保持された状態（図３（ａ）に示す状態）で使用される。このとき、玉案内部材３９の玉受部４０は、直接回収口１６へ繋がるバイパス路６０側を閉塞し、選別路６２側を開放した状態となっている。また、このとき、玉案内部材３９の左側の１対のスライドローラ４７ａ，４７ｂは、それぞれ外枠部材５２の左端から中央部に向かって下り傾斜した１対のガイドレール５６ａ，５６ｂの左上端に位置し、右側の１対のスライドローラ４８ａ，４８ｂは、それぞれ外枠部材５２の右端から中央部に向かって下り傾斜した１対のガイドレール５７ａ，５７ｂの左下端に位置していているので、玉受部４０が選別路６２側に向かって下り傾斜した姿勢となる。従って、上方から導入してきたパチンコ玉（即ち玉計数機１２の排出部１２ａから排出されたパチンコ玉）は玉受部４０上に残ることなく、開放された選別路６０へ確実に案内され、玉選別装置２０へ転動していく。
【００１７】
玉選別装置２０に故障等のトラブルが発生した場合には、玉案内部材３９が外枠部材５２の右側の位置に移動させて保持した状態（図３（ｃ）に示す状態）で使用することにより、玉計数機１２を使用停止とすることなく営業に支障を来たさないようにすることができる。以下、図３（ａ）の状態から、図３（ｃ）の状態に切り替える動作について説明する。
図３（ａ）に示す状態から、操作レバー３２の取っ手部３５を図面上で右方向に引くことにより、係止用雄部材５０と係止用雌部材５４の係止が解除され、玉案内部材３９を右方向に移動させることが可能となる。このとき、玉案内部材３９の左側のスライドローラ４７ａ，４７ｂは、ガイドレール５６ａ，５６ｂに沿って右下方向に移動し、右側のスライドローラ４８ａ，４８ｂはガイドレール５７ａ，５７ｂに沿って右上方向に移動して行くので、玉受部４０の傾斜角度が緩やかになりながら玉案内部材３９が移動し、図３（ｂ）に示すように外枠部材５２の中央部まで移動した際には、玉受部３９は水平な姿勢となる。さらに、操作レバー３２を右方向に引くと、玉受部４０が左方向へ下り傾斜しながら玉案内部材３９が右方向に移動していき、図３（ｃ）に示すように外枠部材５２の右側の位置で係止用雄部材５１と係止用雌部材５５が互いに係合されて保持される。このとき、玉案内部材３９の玉受部４０は選別路６２側を閉塞し、バイパス路６０側を開放した状態となり、玉受部４０はバイパス路６０側に向かって下り傾斜した姿勢となるので、上方から導入してきたパチンコ玉（即ち玉計数機の排出部から排出されたパチンコ玉）は玉受部４０上に残ることなく、開放されたバイパス路６０へ確実に案内され、玉選別装置２０を経由することなく回収口１６を介して直接遊技島１０内へ回収される。
【００１８】
また、逆に図３（ｃ）の状態から図３（ａ）の状態へ戻す場合は、上記動作とは逆に、操作レバー３２の取っ手部３５を左方向へ押して、係止用雄部材５１と係止用雌部材５５の係合を解除し玉案内部材３９を左方向に移動させて、さらに係止用雌部材５４に係止用雄部材５０が係止されて玉案内部材３９が保持されるまで操作レバー３２の取っ手部３５を押せばよい。
【００１９】
本実施の形態では、バイパス路６０、選別路６２が、発明の第１、第２の通路を構成している。そして、玉受部４０が玉案内面を構成し、ガイドレール５６ａ，５６ｂが第１ガイドレールを、ガイドレール５７ａ，５７ｂが第２ガイドレールをそれぞれ構成している。
【００２０】
実施の形態は以上のように構成され、玉通路切替装置３０は、玉受部４０を有する玉案内部材３９を備え、玉案内部材３９は、対向する両側端部に２対のスライドローラ４７ａ，４７ｂ，４８ａ，４８ｂを備え、玉通路切替装置３０は、スライドローラのうちの一方の１対のスライドローラ４７ａ，４７ｂをガイドする１対のガイドレール５６ａ，５６ｂと、スライドローラのうちの他方の１対のスライドローラ４８ａ，４８ｂをガイドする１対のガイドレール５７ａ，５７ｂと、を備え、ガイドレール４７ａ，４７ｂとガイドレール４８ａ，４８ｂは、相互の方向へ下り傾斜して設けた構成とし、玉案内部材３９を、選別路６２を閉塞して且つ玉受部４０をバイパス路６０へ下り傾斜した姿勢とすることにより導入されたパチンコ玉をバイパス路へ案内する状態と、バイパス路６０を閉塞して且つ玉受部４０を選別路６２へ下り傾斜した姿勢とすることにより導入されたパチンコ玉を選別路６２へ案内する状態と、に状態切り替えが可能であり、玉案内部材３９の切り替え動作を、玉案内部材３９を導入してくるパチンコ玉の移動方向に対して横方向にスライド移動させながら姿勢変換させることにより行うものとした。従って、導入してきたパチンコ玉は玉案内部材３９の玉受部４０上に残ることなく、案内すべき通路へ確実に案内され、また、通路切り替え動作の際に、玉案内部材３９が、通常使用される状態（図３（ａ）または図３（ｃ）の状態）での高さ範囲からはみ出すことがなく、省スペースで通路の切り替え動作を行うことができる。
【００２１】
また、玉通路切替装置３０には操作レバー３２が接続され、取っ手部３５が外部に露出しているので、玉通路切替装置３２の通路切り替え動作を、玉計数機１２を通常使用する位置から移動させることなく容易に行うことができる。なお、玉通路切替装置３０にモータを接続して、モータの駆動によって通路切り替え動作を行う構成としてもよい。
【００２２】
なお、実施例では玉案内部材３９の着脱自在な係止を可能とする係止構造として、ボールキャッチ機構による係止構造を用いているが、これに限定することはなく、玉案内部材３９を確実に保持して且つ容易に係脱動作ができるものであればよい。
【００２３】
なおまた、実施例では玉計数機１２の排出部１２ａから排出されるパチンコ玉の通路を切り替える構成を示してあるが、これに限定されるものではなく、遊技島での他のパチンコ玉通路の適宜位置に設置することができる。
【図面の簡単な説明】
【００２４】
【図１】実施の形態にかかる玉通路切替装置を遊技島端に設けた状態を示す図である。
【図２】玉通路切替装置の分解斜視図である。
【図３】玉通路切替装置の通路切り替え時の動作説明図である。
【図４】従来の玉通路切替装置を示す図である。
【符号の説明】
【００２５】
１０  遊技島
１２  玉計数機
２０  玉選別装置
２２  一時貯留部
２４  玉選別部
２５  リフト
３０  玉通路切替装置
３２  操作レバー
３４  操作側アーム部
３５  取っ手部
３７  接続側アーム部
３７ａ，３７ｂ  挿通孔
３９  玉案内部材
４０  玉受部
４２ａ，４２ｂ  側壁
４４ａ，４４ｂ  折曲部
４６ａ，４６ｂ  ボス
４７ａ，４７ｂ  スライドローラ
４８ａ，４８ｂ  スライドローラ
５０，５１  係止用雄部材
５２  外枠部材
５４，５５  係止用雌部材
５６ａ，５６ｂ  ガイドレール
５７ａ，５７ｂ  ガイドレール
６０  バイパス路
６２  選別路
【図１】
0005219568.tif 000002
【図２】
0005219568.tif 000003
【図３】
0005219568.tif 000004
【図４】
0005219568.tif 000005